(57)【特許請求の範囲】
【請求項１】
流体が通過する流路の外側コーナ部に、流路の方向と交差して内側に盛り上がる柱状リブが形成されたまがり通路と、前記まがり通路の出口にその入口が接続され、前記柱状リブによって前記入口における流体の速度分布が均一化される流体抵抗物とを備えたまがり通路と流体抵抗物が接続された構造。
【請求項２】
前記柱状リブの断面形状の少なくとも一部が、半円状、円弧状、湾曲状、三角形状、四角形状の形状群から選択された形状であることを特徴とする請求項１記載のまがり通路と流体抵抗物が接続された構造。
【請求項３】
前記柱状リブの高さＨと外側コーナ部の曲率半径Ｒの比Ｈ／Ｒが、０を越え０．２未満であることを特徴とする請求項１又は２に記載のまがり通路と流体抵抗物が接続された構造。
【請求項４】
前記外側コーナ部の曲率半径の中心とコーナ部開始位置を結んだコーナ部開始仮想線と、前記曲率半径の中心と前記柱状リブの中央位置を結んだリブ位置仮想線との交差角度が３０度から６０度の範囲となるように、前記外側コーナ部における前記柱状リブの位置を設定したことを特徴する請求項１〜３のいずれか１項に記載のまがり通路と流体抵抗物が接続された構造。
【請求項５】
前記外側コーナ部の曲率半径の中心からコーナ部開始位置を結んだコーナ部開始仮想線と、前記曲率半径の中心とコーナ部終端位置を結んだコーナ部終端仮想線との交差角度が９０度である場合において、
前記コーナ部開始仮想線と、前記曲率半径の中心と前記柱状リブの中央位置を結んだリブ位置仮想線との交差角度が３０度から６０度の範囲となるように、前記外側コーナ部における前記柱状リブの位置を設定したことを特徴とする請求項１〜３のいずれか１項に記載のまがり通路と流体抵抗物が接続された構造。
【請求項６】
前記外側コーナ部が、前記流路を区画する壁体の内面であることを特徴とする請求項１〜５のいずれか１項に記載のまがり通路と流体抵抗物が接続された構造。
【請求項７】
前記外側コーナ部が、前記流路の内部に設けられた整流板の内面であることを特徴とする請求項１〜６のいずれか１項に記載のまがり通路と流体抵抗物が接続された構造。
【発明の詳細な説明】
【技術分野】
【０００１】
本発明は、管路のエルボまたはダクトのベンド等のまがり通路の構造に係り、特にまがり通路の下流にクーラ等の抵抗が高い流体抵抗物が存在する場合に、まがり通路において流体を整流し、抗抵が高い流体抵抗物を含めたトータルの圧力損失を抑制するようにしたまがり通路の構造に関するものである。
【背景技術】
【０００２】
下記特許文献１には、湾曲した管状のインレットコネクタを備え、吸気がこのインレットコネクタを介してコンプレッサに吸入される過給機の気流音低減装置に関する発明が開示されている。この気流音低減装置は、前記インレットコネクタの湾曲通路部を経て前記コンプレッサに流入する吸気の速度分布を均一化する整流手段を備えており、前記コンプレッサに生じる圧力脈動を抑制することができるものとされている。前記整流手段としては、前記インレットコネクタの通路壁において、湾曲通路部の湾曲内側である湾曲内側壁部から突出する突起が形成されている。
【０００３】
下記特許文献２には、流路の折曲部における圧力損失を抑制する発明が開示されている。この発明によれば、折り曲げられた流路の内部コーナ部に回旋部が設けられている。この回旋部は、下流へ伸び、かつ交互に隣接して設けられた一連の隆起部と谷部から構成されている。このような回旋部によれば、二次元境界層分離領域に関係する圧力損失を排除するか、あるいは抑制することができるものとされている。
【先行技術文献】
【特許文献】
【０００４】
【特許文献１】特許第４４３１５３１号公報
【特許文献２】特開平４−２７７３０７号公報
【発明の概要】
【発明が解決しようとする課題】
【０００５】
本願発明者等は、流体が通過するまがり通路の下流に抵抗が高い流体抵抗物を接続した場合に、流体の圧力損失が可及的に抑制されるようなまがり通路の構造について鋭意研究してきた。本願発明者等の研究では、図１に全体構成を示すように、流入空気を過給機１により加圧し、高温となった空気を配管２とまがり通路としてのダクト３を経てエアクーラ４に供給し、ここで冷却してシリンダ内に供給するディーゼルエンジン５等を研究対象としており、ダクト３とクーラ４の圧力損失について検討してきた。図２は、図１に示すエアクーラ４の一般的な構成を示す図であり、多数のフィン６を所定間隔をおいて互いに平行に配置し、これらのフィン６を貫通するように複数本のチューブ７が配置されている。このチューブ７内に矢印Ａで示すように水等の熱交換媒体を流通させるとともに、エアクーラ４の一方の面からフィン６と平行な方向に沿ってフィン６とフィン６の間に矢印Ｂで示すように冷却対象である圧縮空気を供給すれば、空気の熱はフィン６に吸収されてチューブ７内の熱交換媒体に吸収されるので、他方の面から温度の低下した空気が排出される。なお、このエアクーラを以下単にクーラと称する。
【０００６】
本願発明者等が研究対象としてきた大型のディーゼルエンジン５やガスエンジンの場合、図１に示すように、過給機１とクーラ４は、構成部品の組付けスペース等の制約上、上下に配置される形態が多く、過給機１とクーラ４間は配管２やダクト３で接続され、必然的にまがり通路が形成される構成となる。そして、このような構成では、まがり通路の出口であるクーラ４の入口では、圧縮空気の流速分布は、慣性の影響により、同図中矢印で示すように、流路の内側コーナ部側（図１の上方の矢印の側）に比べて流路の外側コーナ部側（同図の下方の矢印の側）で極端に高速となる。本願発明者等はこのような現象を、従来とは異なり、初めて問題点として取り上げ、さらに、この現象のため、クーラ４の冷却性能が低下するとともに、クーラ４の流体抵抗物としての特性により、クーラ４内の圧力損失も悪化し、エンジンの燃料消費量に悪影響が及び、この悪影響を回避するためにはクーラ４を大き目に設計する必要性が生じて製造費用や設置スペースが増すこととなるという課題があることを見出すに至った。このような課題も、本願発明者等が新たに発見し、又は初めて認識したものである。
【０００７】
本願発明者等は、上述したようなクーラ４の入口での流速分布の不均一という現象及びこれに基因する圧力損失の悪化等の課題を発見した後、これを解決する手段について鋭意研究を重ねた。本願発明者等は、そのための研究手法として、コンピュータを用いて流体の挙動をシミュレーションにより検証する方法を採用し、まず上記特許文献１及び２に開示された発明の効果を検証した。その結果、上記特許文献１及び２に開示された発明によれば、いずれもダクト３及びクーラ４のトータル圧力損失が、課題を解決するには必ずしも十分な水準には至っておらず、課題の有効な解決手段とはなっていないことを確認した。
なお、上述したコンピュータによるシミュレーション手法の具体的な内容や、上記特許文献１及び２の発明により得られる効果と本願発明による効果との比較等については、「発明の詳細な説明」の中で詳細に説明する。
【０００８】
以上説明したように、本発明は、先行技術によっても解決されていない本願発明者等の発見した新たな課題を解決するためになされたものであり、流体が通過するまがり通路の下流に抵抗が高い流体抵抗物を接続した場合に、流体の圧力損失が可及的に抑制されるようなまがり通路を提供することを目的としている。
【課題を解決するための手段】
【０００９】
課題を解決するための手段を、本発明の各請求項の記載に基づいて説明する。また、課題を解決するための手段を構成する各構成要件の定義についても必要に応じて説明を行う。これらの定義は「発明を実施するための形態」における用語の定義と同一である。なお、課題を解決するための手段の説明では、便宜上「発明を実施するための形態」において各構成を示す参照符合を用いたが、これは本発明の技術的範囲を実施形態の内容に限定することを意味するものではない。本項の後に説明する「効果」における参照符合の使用も同趣旨である。
【００１０】
請求項１に記載されたまがり通路３と流体抵抗物４が接続された構造は、流体が通過する流路１０の外側コーナ部１１に、流路１０の方向と交差して内側に盛り上がる柱状リブ１２が形成されたまがり通路３と、前記まがり通路３の出口にその入口が接続され、前記柱状リブ１２によって前記入口における流体の速度分布が均一化される流体抵抗物４とを備えたことを特徴としている。
【００１１】
ここで、「コーナ部」とは、流路１０の一部における流体の通過方向が、当該一部の上流側にある他の一部での流体の通過方向に対して、異なる方向に向かっている場合の当該一部を意味し、一般的には流路１０が角張って（直線的に）曲がっている箇所又は曲線的に曲がっている個所を指す。従って、一般的な配管におけるエルボの如く、曲線で曲がっている屈曲部（湾曲部）も「コーナ部」に含まれるし、筒状のダクト等が角度を以て接続されている部分も含まれる。
【００１２】
また、「外側コーナ部」の「外側」とは、当該「コーナ部」を通過する流体に遠心力が作用すると考えた場合、当該「コーナ部」において当該遠心力の作用方向の側を意味し、又は当該「コーナ部」が曲線的に曲がっているとすれば、当該「コーナ部」において当該曲線の曲率中心が存在する側とは反対の側を意味する。流路１０が角張って曲がっている（直線的に曲がっている）場合も同様の趣旨で考えることができる。
【００１３】
また、より具体的には、以上説明した「流路の外側コーナ部」は、流路１０の内部と流路１０の外部を区画する壁体１３によって流路１０が構成されているので、当該壁体１３の内面の外側コーナ部を示すケース（後述する請求項６記載の発明）と、当該流路１０の内部に流体の流通する方向に沿って整流板１４が設けられている場合の当該整流板１４の内面の外側コーナ部を示すケース（後述する請求項７記載の発明）とがある。当然、両方のケースを示す場合もある。
【００１４】
また、「柱状リブ」の「柱状」とは、流路１０の方向と交差する方向について連続的な長手形状を有することを意味し、「リブ」とは長手部材であって設置面よりも突出した形状であることを意味する。「流路の方向と交差」とは、より好ましい様態としては「流路の方向と直交」であるが、多少の角度のずれを許容する意味で上記表現としたものである。また、柱状リブ１２の断面形状、すなわち流路１０の内側に盛り上がったリブの断面形状としては、後述する請求項２記載の発明にも示すように、半円状、円弧状、湾曲状、円弧状又は湾曲状を２以上組み合わせた形状、さらに三角形状、四角形状、多角形状等の種々の形状及びその組合せが採用できる。
【００１５】
「流体抵抗物」とは、そこを通過する流体に抵抗を与えて流体の圧力を低下させる存在を意味し、単位距離当たりの圧力損失が、当該「流体抵抗物」に流体を導く流体の流路１０よりも大きい装置、機器、素子、物体等であって、例えば、熱交換器、過給機、ファン、エアフィルタ、脱硝装置、ミストセパレータ等を挙げることができる。
【００１６】
請求項２に記載されたまがり通路３と流体抵抗物４が接続された構造は、請求項１記載のまがり通路３と流体抵抗物４が接続された構造において、前記柱状リブ１２の断面形状の少なくとも一部が、半円状、円弧状、湾曲状、三角形状、四角形状の形状群から選択された形状であることを特徴としている。
【００１７】
請求項３に記載されたまがり通路３と流体抵抗物４が接続された構造は、請求項１又は２に記載のまがり通路３と流体抵抗物４が接続された構造において、前記柱状リブ１２の高さＨと外側コーナ部１１の曲率半径Ｒの比Ｈ／Ｒが、０を越え０．２未満であることを特徴としている。
【００１８】
請求項４に記載されたまがりまがり通路３と流体抵抗物４が接続された構造は、請求項１〜３のいずれか１項に記載のまがり通路３と流体抵抗物４が接続された構造において、前記外側コーナ部１１の曲率半径の中心とコーナ部開始位置を結んだコーナ部開始仮想線と、前記曲率半径の中心と前記柱状リブ１２の中央位置を結んだリブ位置仮想線との交差角度が３０度から６０度の範囲となるように、前記外側コーナ部１１における前記柱状リブ１２の位置を設定したことを特徴としている。
【００１９】
請求項５に記載されたまがり通路３と流体抵抗物４が接続された構造は、請求項１〜３のいずれか１項に記載のまがり通路３と流体抵抗物４が接続された構造において、前記外側コーナ部１１の曲率半径の中心からコーナ部開始位置を結んだコーナ部開始仮想線と、前記曲率半径の中心とコーナ部終端位置を結んだコーナ部終端仮想線との交差角度が９０度である場合に、前記コーナ部開始仮想線と、前記曲率半径の中心と前記柱状リブ１２の中央位置を結んだリブ位置仮想線との交差角度が３０度から６０度の範囲となるように、前記外側コーナ部１１における前記柱状リブ１２の位置を設定したことを特徴としている。
【００２０】
請求項６に記載されたまがり通路３と流体抵抗物４が接続された構造は、請求項１〜５のいずれか１項に記載のまがり通路３と流体抵抗物４が接続された構造において、前記外側コーナ部１１が、前記流路１０を区画する壁体１３の内面であることを特徴としている。
【００２１】
請求項７に記載されたまがり通路３と流体抵抗物４が接続された構造は、請求項１〜６のいずれか１項に記載のまがり通路３と流体抵抗物４が接続された構造において、前記外側コーナ部１１が、前記流路１０の内部に設けられた整流板１４の内面であることを特徴としている。
【００２２】
なお、請求項４の発明の構成と請求項５の発明の構成は必ずしも互いに排他的な関係にあるものではない。すなわち、本発明の実施形態の構成としては、請求項４記載のように外側コーナ部１１が流路１０を区画する壁体１３の内面にある場合と、請求項５記載のように外側コーナ部１１が流路１０の内部に設けられた整流板１４の内面にある場合と、外側コーナ部１１がその両方にある場合とがある。
請求項６に記載されたまがり通路３は、請求項１〜５のいずれか１項に記載のまがり通路３において、前記柱状リブ１２の断面形状の少なくとも一部が、半円状、円弧状、湾曲状、三角形状、四角形状の形状群から選択された形状であることを特徴としている。
【発明の効果】
【００２３】
本発明のまがり通路３によれば、次のような効果を得ることができる。
まがり通路３内には、流路１０の方向と交差して内側に盛り上がる柱状リブ１２が形成されており、一般的にはこれ自体が流体に対する抵抗物となるが、その効果として、まがり通路３から流体抵抗物４の入口に流入する流体の流速分布を均一化できるため、まがり通路３と流体抵抗物４とのトータル圧力損失を従来よりも低減することができ、結果として流体抵抗物４に期待されている機器としての性能を向上させることができ、さらには当該流体抵抗物４の下流に接続されているその他の機器等の性能も向上させることができる。
【００２４】
より具体的に、加圧空気（流体）をダクト３（まがり通路）を経てクーラ４（流体抵抗物）に流入させて冷却し、これをディーゼルエンジン５に供給して運転を行う実施形態の例に即して説明すると、ダクト３からクーラ４の入口に流入する空気の流速分布を柱状リブ１２によって均一化できるため、ダクト３及びクーラ４の全圧損失を従来よりも低減することができ、結果としてクーラ４の冷却性能を向上させることができ、さらにはディーゼルエンジン５の燃費が改善される。
【００２５】
さらに本発明のまがり通路３によれば、次のような効果を得ることもできる。
柱状リブ１２が設けられたまがり通路３の構造は、それが管路である場合も、また板金製のダクト内である場合も、いずれも例えば鋳物によって部品点数を増やすことなく容易に実現できるものであるため、製造コストを抑えることができる。加えて、柱状リブ１２を設けたことによる補強効果でまがり通路３全体の剛性を増すことができる。
【図面の簡単な説明】
【００２６】
【図１】過給機とクーラを有する従来の一般的なエンジンの構成を示す図である。
【図２】従来の一般的なクーラの構成を示す図である。
【図３】実施形態と比較例における配管、ダクト及びクーラによる全圧損失をＣＦＤの手法によるシミュレーションで検証する際の計算条件等を説明するための斜視図である。
【図４】実施形態と比較例における配管、ダクト及びクーラによる全圧損失をＣＦＤの手法によるシミュレーションで検証する際の計算条件等を説明するための断面図である。
【図５】前記シミュレーションの計算領域を示す図３及び図４において、ダクトにおける比較例（リブなし）と実施形態のバリエーション（Ｔｅｓｔ（１）〜（６））それぞれのシミュレーション条件を示したダクト断面図である。
【図６】前記図５の比較例（リブなし）と実施形態のバリエーション（Ｔｅｓｔ１〜６）のダクトのシミュレーション条件に基づいて、それぞれ得られた配管、ダクト及びクーラによる全圧損失の計算結果を比較するグラフである。
【図７】効果が得られるか否かを確認するために用いた半円筒状の柱状リブの大きさに関する検討モデルを示したダクト断面図である。
【図８】前記図７のダクトモデルにおいて半円筒状の柱状リブの大きさと、前記配管、ダクト及びクーラによる全圧損失との関係を示すグラフであって、効果が得られるリブの大きさの数値範囲を示した図である。
【図９】効果が得られるか否かを確認するために用いた半円筒状の柱状リブの配置に関する検討モデルを示したダクト断面図である。
【図１０】前記図９のダクトモデルにおいて半円筒状の柱状リブの配置と前記配管、ダクト及びクーラによる全圧損失との関係を示すグラフであって、効果が得られるリブの配置の数値範囲を示した図である。
【図１１】効果が得られるか否かを確認するために用いた半円筒状以外の形状の柱状リブについての検討モデルを示すダクト断面図である。
【図１２】半円筒状の柱状リブの大きさと前記全圧損失との関係を示す前記図８のグラフに、前記１１図ダクトモデルの特定サイズの三角形及び四角形の２種類の柱状リブのシミュレーション条件に基づいて得られる前記配管、ダクト及びクーラによる全圧損失それぞれを重ねて図示したグラフである。
【図１３】ダクトに前記図７と同様の半円筒状の柱状リブを設け、ダクトの下流にクーラを設けない比較例において、前記配管、ダクト及びクーラによる全圧損失をＣＦＤの手法によってシミュレーションする際の検討モデルを示す斜視図である。
【図１４】前記図１３の比較例のモデルにおいて、柱状リブの大きさと前記配管、ダクト及びクーラによる全圧損失との関係を図示したグラフである。
【図１５】特許文献１に記載の発明において、前記配管、ダクト及びクーラによる全圧損失をＣＦＤの手法によってシミュレーションする際のダクトのシミュレーション条件を示すダクト断面図である。
【図１６】前記図８の半円筒状の柱状リブの大きさと全圧損失との関係を示すグラフにおける横軸の表示を「半径比」の表示から柱状リブ１２の半径（高さ）の直接表示に変えたグラフに、特許文献１に記載の発明について前記１５図のシミュレーション条件で行ったＣＦＤの手法によるシミュレーション結果を重ねて示したグラフである。
【図１７】特許文献２に記載の発明において、前記配管、ダクト及びクーラによる全圧損失をＣＦＤの手法によってシミュレーションする際のダクトのシミュレーション条件を示すダクト断面図である。
【図１８】前記図８の半円筒状の柱状リブの大きさと全圧損失との関係を示すグラフにおける横軸の表示を「半径比」の表示から柱状リブ１２の半径（高さ）の直接表示に変えたグラフに、特許文献２に記載の発明について前記１７図のシミュレーション条件で行ったＣＦＤの手法によるシミュレーション結果を重ねて示したグラフである。
【図１９】実施形態における半円筒状の柱状リブをショートエルボの外側コーナ部に設けた応用例を示す図であって、分図（ａ）はエルボの斜視図、分図（ｂ）は流路１０の方向に平行な切断面においてエルボを２分割した状態を示す切断図、分図（ｃ）は分図（ｂ）において２分割されたエルボを流路の方向に対面する正面側から見た図、分図（ｄ）は分図（ｂ）において２分割されたエルボを流路の方向と直交する側面側から見た図である。
【図２０】実施形態における半円筒状の柱状リブを、過給機とクーラをつなぐダクトにおいて、ダクトの壁体の外側コーナ部と、流路の内部に設けられた整流板の外側コーナ部の両方に設けた応用例を示す図であって、分図（ａ）はダクトを断面とした全体構成図、分図（ｂ）はダクトの拡大断面図である。
【発明を実施するための形態】
【００２７】
本発明の実施形態を図１〜図２０を参照して説明する。
１．対象製品の説明（図１及び図２）
本発明は、流路の方向が変化するまがり通路の下流に何らかの流体抵抗物が接続されている場合に、まがり通路において流体を整流することにより、流体抵抗物を含めた全体としての圧力損失を抑制したまがり通路の構造に関するものである。
【００２８】
実施形態における対象製品の一例としては、先に説明した図１のディーゼルエンジン５が挙げられる。この種のディーゼルエンジン５は、流入空気を過給機１により加圧し、ダクト３を経て高温となった空気をクーラ４に供給し、ここで冷却してシリンダ内に供給するように構成されている。また、このクーラ４は、先に説明した図２のフィンチューブ型熱交換器式が多く採用されており、高温の空気を流体（水）で冷却する構造である。本願発明のまがり通路は実施形態のダクト３に相当し、本願発明の流体抵抗物は実施形態のクーラ４に相当する。また、本願発明のまがり通路において流体が流れる範囲を流路１０と称しているが、これは実施形態のダクト３の内部に相当する。
なお、以下に説明するシミュレーションに使用する対象は、過給機１が２台設けられたディーゼルエンジン５であり、図３に示すように各過給機１の出口からそれぞれ連結された配管２（合計２本）が、それぞれダクト３に接続して高温の空気がクーラ４に到るようになっている。
【００２９】
２．ＣＦＤによるシミュレーションの説明（図３及び図４）
実施形態及び後述する比較例の効果を計算（シミュレーション）により検証した。
(1) 使用した計算ソフト
流体計算に使用した計算ソフトは、CD-adapco 社製のSTAR-CCM+ver8.04である。このソフトは、世界で最も実績のあるＣＦＤ(Computer Fluid Dynamics、流体解析) ソルバの一つである。
【００３０】
(2) 計算領域
実施形態と比較例において、配管２、ダクト３及びクーラ４による全圧損失を、上記計算ソフトを用いたＣＦＤの手法によるシミュレーションで検証する。その際の計算領域及び計算条件を図３及び図４に示す。図３に示すように、計算領域は、実際のエンジンを正確に３Ｄモデル化し、その３Ｄモデル中、各過給機１出口から連結される２本の配管２からダクト３、クーラ４を経て接続ブロック８までを対象とした。図４は、計算に用いた配管２、ダクト３、クーラ４、接続ブロック８において特にダクト３の内部の流体が流れる領域を断面で示したものである。これらの図中に示すように、配管２は長さが４５０ｍｍ、直径が１８０ｍｍであり、クーラ４の外形は縦５８０ｍｍ、幅１１５０ｍｍ、奥行５４０ｍｍである。
【００３１】
図３及び図４に示すように、まがり通路としてのダクト３は、流路１０を区画する壁体１３によって構成されている。そして、その流路１０内には、流体が流れる方向に沿った曲面形状を呈する整流板１４が設けられており、流路１０を上下の２領域に分割している。なお、特に図３に明示するように、流路１０内には、２本の配管２に対応して配置された仕切り板９が中央に設けられ、前記整流板１４は、仕切り板９と直交するように配置されている。したがって、整流板１４で上下に分割された流路１０内の２領域が仕切り板９によってさらに左右に２分割されている。
【００３２】
(3) 計算条件
流体の物性値は空気の値を使用する。ダクト３に入る空気の温度は圧縮機出口相当の値とし、その粘性係数は、圧縮機出口相当の圧力と温度から、日本機械学会（The Japan Society of Mechanical Engineers 、略称ＪＳＭＥ）編集による下記文献を根拠として与えた。
記：技術資料  流体の熱物性値集  日本機械学会  初版1983/8
【００３３】
また、境界条件は、ディーゼルエンジン５で想定される環境条件とし、図３に示すように、配管２の入口それぞれに各圧縮機出口相当の流量（４ｋｇ／ｓｅｃ）を与え、接続ブロック８の出口の圧力としてはディーゼルエンジン５のシリンダ入口相当の静圧（０．５０ＭＰａ(gauge) ）を与えた。
【００３４】
ダクト３の後方部に位置するクーラ４は抵抗体と考え、ポーラスメディアとしての条件を適用し、クーラ４の特性値である慣性抵抗係数と粘性抵抗係数はクーラメーカから入手した値を用いた。よって本計算では抵抗体もモデル化することによりクーラ４の抵抗の影響も加味している。
【００３５】
実施形態及び比較例では、後述するように柱状リブ１２の有無又はその形状のバリエーションは多岐にわたるが、これら複数の検討形状の全てに対し、以上のように統一した条件で計算を行った。
【００３６】
(4) 評価方法
クーラ４の入口の空気の流速分布が均一になるほどクーラ４内の圧力損失が低減すると考え、評価項目は圧力損失とし、配管２の入口と、接続ブロック８の出口での圧力の差、すなわち配管２、ダクト３及びクーラ４のトータル圧力損失を後述する柱状リブ１２の有無や形状等の差異に応じて確認し、互いに比較して評価した。なお、実施形態においては、この配管２、ダクト３及びクーラ４のトータル圧力損失を“全圧損失”と称する。
【００３７】
３．実施形態の説明（図５〜図１２）
（１）初期検討形状（図５）
先に説明したように、本願発明者等は、図３及び図４に示すような構成を備えたディーゼルエンジン５を対象とした研究において、まがり通路出口の出口であるクーラ４の入口では、圧縮空気の流速分布が、慣性の影響により、流路の内側コーナ部側（図１の上方の矢印の側）に比べて流路の外側コーナ部側で極端に高速となる現象を発見した。
そして、この現象のため、クーラ４の冷却性能が低下するとともに、クーラ４の流体抵抗物としての特性により、クーラ４内の圧力損失が悪化すると考えるに至った。そこで、本願発明者等は、このような課題を解決してダクト３及びクーラ４の圧力損失を全体として低減する手法として、ダクト３の内部、特に流体の流速が相対的に速い流路１０の外側コーナ部側、すなわち曲がった流路１０における外側の内面に流体の抵抗となる突起物を設け、クーラ４の入口の流路１０の外側コーナ部側おける流速を減じることを検討した。
このように、圧力損失が問題となっている状況下で流路１０中に流体と交差するような形で障害物を突出して配置するという手段は、従来の技術常識に反しており、通常であればさらなる圧力損失を招き、ダクト３及びクーラ４の圧力損失が全体としてさらに増大すると考えるのが普通である。曲がった流路１０の外側の内面に突起物を設ける構成が従来採用されていなかったのは、このような理由によるものと考えられる。
【００３８】
しかしながら、本願発明者等は、図３及び図４に示すような構成を備えたディーゼルエンジン５等を対象とした研究において、まがり通路であるダクト３の下流に接続されたクーラ４の流体抵抗物としての性質を考慮すれば、むしろダクト３の流路１０中の適当な位置に適当な形状、サイズの抵抗物を設け、これによってクーラ４の入口における空気の流速を均一にした方が、ダクト３単体としては圧力損失が増加するとしても、ダクト３及びクーラ４の全体としては圧力損失がむしろ減少するのではないかと考えた。
【００３９】
上述した図３及び図４における“まがり通路”である整流板１４を有するダクト３の内部形状において、図５は、リブなしの形状とした比較例と、上記考え方に沿って本願発明者等が検討した実施形態、すなわち比較例のダクト３の流路１０内の様々な位置に様々な形状・寸法の柱状リブ１２を設けたダクト３のバリエーション（Ｔｅｓｔ（１）〜（６））の形状例とを示す断面図であり、これらの図は前述したＣＦＤによるシミュレーションにおける比較例と実施形態の計算条件を示すものとなっている。
【００４０】
図５に示すように、基本形状となる比較例（リブなし）のまがり通路であるダクト３は、流路１０を区画する壁体１３によって構成されている。ダクト３の上面は、底辺１１５０ｍｍ、上辺２００ｍｍ、高さ（図５において左右の幅）２７５ｍｍの台形状になっており、そのダクト３の台形状の上面には、図３で示した直径１８０ｍｍの配管２が２本台形上辺側に並行して設けられている。ダクト３のクーラ４の入口に繋がる図５の右側面の出口は縦５２０ｍｍ横（奥行き）１０５０ｍｍの方形の開口である。また、このダクト３の壁体１３の外側コーナ部１１は鉛直面に対して３５度傾斜しており、傾斜した部分の縦寸法は３１６ｍｍである。また、このダクト３の壁体１３の内部、すなわち流路１０内には、流体が流れる方向に沿った曲面形状を呈する整流板１４が設けられており、流路１０を上下の２領域に分割している。この整流板１４の板厚は１５ｍｍ、曲率は１５０ｍｍ、整流板１４によって分割された流路１０内の上下の２領域のうち、下側の領域を整流板１４の曲率の半径方向に測った寸法は上流側で９０ｍｍ、下流側（クーラ４の入り口側）で２６０ｍｍである。なお、図３に示す２本の配管２に対応してダクト３内の中央に設けられた仕切り板９は、前記整流板１４と直交するように配置されており、その仕切り板９の板厚は１５ｍｍである。
【００４１】
実施形態のダクト３のバリエーション（Ｔｅｓｔ（１）〜（６））は、流路１０の整流板１４又は／及び壁体１３の外側コーナ部１１に突起物である柱状リブ１２を設けた構造であり、いずれも流路１０の外側コーナ部１１に高速流が偏るのを避ける意図がある。
【００４２】
実施形態のバリエーションＴｅｓｔ（１）は、上記比較例（リブなし）のダクト３に対して、流路１０内にある整流板１４の外側コーナ部１１に、円柱状の一部からなる柱状リブ１２を上方に突出して設けた例である。円柱状の軸は、図５の紙面に垂直な方向であり、円柱の軸線に垂直な断面、すなわち図５の紙面に平行な面で言えば円の一部で構成される形状（半円状、円弧状等）である。この柱状リブ１２の半径は３０ｍｍ（Ｒ３０）である。図５の紙面に垂直な円柱状の中心軸は、ダクト３の出口から水平に測定して上流側に１１０ｍｍ遡った位置であって、かつ外側コーナ部１１から整流板１４の板厚方向について外側１０ｍｍの位置にある。
【００４３】
実施形態のバリエーションＴｅｓｔ（２）は、上記比較例（リブなし）のダクト３に対して、流路１０内にある整流板１４の外側コーナ部１１に、断面視略湾曲形状と直線形状を合成した形状の柱状リブ１２を上方に突出して設けた例である。この柱状リブ１２の上流側を構成する湾曲形状部分は半径３０ｍｍの凹球面状であり、これに続く下流側の直線形状部分は水平方向の最大厚さ寸法が、整流板１４の厚さを含めて４０ｍｍであって、湾曲形状部分の下流側端部から鉛直下方に続いている。
【００４４】
実施形態のバリエーションＴｅｓｔ（３）は、上記比較例（リブなし）のダクト３に対して、流路１０内にある整流板１４の外側コーナ部１１に、断面視略湾曲形状と直線形状を合成した形状の柱状リブ１２を上方に突出して設けた例である。この柱状リブ１２の上流側を構成する湾曲形状部分は半径１０ｍｍの凹球面状であり、これに続く下流側の直線形状部分は水平方向の最大厚さ寸法が、整流板１４の厚さを含めて５０ｍｍであって、湾曲形状部分の下流側端部から鉛直下方に続いている。
【００４５】
実施形態のバリエーションＴｅｓｔ（４）は、上記比較例（リブなし）のダクト３に対して、流路１０内にある整流板１４の外側コーナ部１１に、断面視略湾曲形状の２つの部分を合成した形状の柱状リブ１２を上方に突出して設けた例である。この柱状リブ１２の上流側を構成する湾曲形状部分は半径４０ｍｍの凹球面状であり、これに続く下流側の湾曲形状部分は半径８０ｍｍの凹球面状である。
【００４６】
実施形態のバリエーションＴｅｓｔ（５）は、整流板１４の外側コーナ部１１に円柱状の柱状リブ１２を有するバリエーションＴｅｓｔ（１）に対して、これと略同一構造の円柱状の柱状リブ１２を、壁体１３の外側コーナ部１１にも併せて設けた構造例である。壁体１３の外側コーナ部１１の柱状リブ１２は、半径３０ｍｍ（Ｒ３０）の円柱状であり、この円柱状の中心軸は図５の紙面に垂直であり、ダクト３の出口から水平に測定して上流側に１５０ｍｍ遡った位置であって、かつ外側コーナ部１１から壁体１３の板厚方向について外側５ｍｍの位置にある。
【００４７】
実施形態のバリエーションＴｅｓｔ（６）は、整流板１４の外側コーナ部１１と壁体１３の外側コーナ部１１にそれぞれ円柱状の柱状リブ１２を有するバリエーションＴｅｓｔ（５）に対して、各柱状リブ１２の位置又は大きさを変え、さらに整流板１４の構造も変えたものである。整流板１４の外側コーナ部１１の柱状リブ１２の位置は、Ｔｅｓｔ（１）と同じであるが、その半径は４０ｍｍ（Ｒ４０）である。壁体１３の外側コーナ部１１の柱状リブ１２の位置は、円柱状の中心軸の位置が壁体１３の板厚方向について外側１０ｍｍの位置にある他はＴｅｓｔ（５）と同じであるが、その半径は４０ｍｍ（Ｒ４０）である。さらに整流板１４は、バリエーションＴｅｓｔ（１）〜（５）のように厚さが一定ではなく、円柱リブがある前後が厚く、内面側が平面状となっている。すなわち、整流板１４の最低部から鉛直方向上流側に２２０ｍｍの位置と、クーラ４に接続する出口から水平方向上流側に３０ｍｍの位置との間を結んだ内面側（外側コーナ部１１の側）が平面状となっている。
【００４８】
なお、図示はしないが、以上説明した円弧状、湾曲状に加え、これら以外の湾曲形状を少なくとも一部に有する形状で断面が構成されている柱状リブ１２も実施形態の範囲内である。
【００４９】
（２）比較例及び実施形態のシミュレーション計算結果（図６）
図６に、図５に示した比較例（リブなし）及び実施形態のバリエーションＴｅｓｔ（１）〜（６）の各シミュレーション計算結果として配管２、ダクト３及びクーラ４を含めた全体圧損を棒グラフで示す。
【００５０】
本結果から下記事実が判明した。
１．配管２、ダクト３及びクーラ４の全圧損失はどの形状の柱状リブ１２であっても、リブのない比較例よりも低減できる。
２．バリエーションＴｅｓｔ（１）の円柱状の柱状リブ１２が最も全圧損失が低減する。  次に、この結果に基づいて、形状のより詳細な検討を行った。
【００５１】
（３）円柱状の柱状リブ１２の最適な大きさの検討（図７及び図８）
まず円柱状の柱状リブ１２の最適な大きさを調べるため、円柱の半径を変えて計算を行った。図７は、リブなしの前記比較例のダクト３に半径が２０ｍｍ、４０ｍｍ、６０ｍｍである柱状リブ１２をそれぞれ設けた検討モデルを便宜上一図に重ねて示した断面図である。柱状リブ１２は整流板１４の円筒形に対して鉛直線又は水平線の位置から角度で４５°の位置に配置した。
なお、ダクト３自体の構造、寸法等は図５に示した例と同一である。
【００５２】
図８は、半円柱状の柱状リブ１２の上記各大きさと全圧損失との関係を示すグラフである。横軸は、柱状リブ１２の半径と整流板１４の半径の比（半径比）を示す数値であり、半円柱状の柱状リブ１２の半径を整流板１４からの高さＨと考えると、この横軸の数値は、柱状リブ１２の高さＨと外側コーナ部１１の曲率半径Ｒの比Ｈ／Ｒを意味する。縦軸は全圧損失（Ｐａ）である。
横軸の０は、比較例（リブなし）に相当する。横軸の０と、リブ半径の２０ｍｍ（２／１５）、４０ｍｍ（４／１５）、６０ｍｍ（６／１５）に対応する全圧損失の各点を滑らかに結ぶ曲線を設定し、評価基準となる比較例（リブなし）での全圧損失の値（約６１７０Ｐａ程度）よりも低い全圧損失が得られる範囲を示すと、図示の一点鎖線で示す比較例（リブなし）の全圧損失よりも下の範囲に入る半円柱状のリブ１２の半径は、０を越え、３０ｍｍ未満となる。これを整流板１４の半径との比（半径比）又は、柱状リブ１２の高さＨと外側コーナ部１１の曲率半径Ｒの比Ｈ／Ｒで示すと、０を越え０．２（３／１５）未満となる。この範囲であれば、実施形態の柱状リブ１２を有するダクト３は従来のダクトよりも全圧損失を小さくする効果を得ることができる。
【００５３】
（４）円柱状の柱状リブ１２の最適な配置角度の検討（図９及び図１０）
整流板１４の外側コーナ部１１上にある円柱状の柱状リブ１２の最適な配置角度を検討した。整流板１４の外側コーナ部１１上にある柱状リブ１２の位置を、断面が円形の一部である整流板１４の曲面の中心から水平な位置を０度とし、下流に向けて測った中心角度によって示す。この中心角度を柱状リブ１２の配置角度と称する。この配置角度を変えて計算を行った。図９は、リブなしの前記比較例のダクト３に、その配置角度が５度、４５度、７０度である３つの柱状リブ１２をそれぞれ設けた検討モデルを便宜上一図に重ねて示した断面図である。円柱状の柱状リブ１２の半径は、図７に示した検討例で最適とされた２０ｍｍに固定した。
なお、ダクト３自体の構造、寸法等は図５に示した例と同一である。
【００５４】
図１０は、半円柱状の柱状リブ１２の配置角度と全圧損失との関係を示すグラフである。横軸は、柱状リブ１２の配置角度であり、縦軸は全圧損失（Ｐａ）である。横軸の５度、４５度、７５度に対応する全圧損失の各点を滑らかに結ぶ曲線を設定し、評価基準となる比較例（リブなし）での全圧損失の値（約６１７０Ｐａ程度）よりも低い全圧損失が得られる配置角度の範囲を表示すると、図示の一点鎖線で示す比較例（リブなし）の全圧損失よりも下の範囲に入る配置角度は、３０度以上、６０度以下となる。この範囲であれば、実施形態の柱状リブ１２を有するダクト３は従来のダクトよりも全圧損失を小さくする効果を得ることができる。
【００５５】
（５）円柱状以外の形状の効果の確認（図１１及び図１２）
次に、柱状リブ１２の形状が円柱状以外の形状である場合の効果を計算で確認した。
図１１に検討モデルのダクト３の断面図を示す。これは、リブなしの前記比較例の整流板１４の外側コーナ部１１上の配置角度４５度の位置に、半円柱状と、三角形状と、四角形状の各柱状リブ１２をそれぞれ設けた状態の検討モデルを便宜上一図に重ねて示したものである。図１１では、円柱状の柱状リブ１２の半径は、図７に示した検討例で最適とされた２０ｍｍとしており、三角形状と四角形状の各柱状リブ１２の高さもそれに合わせて２０ｍｍとした。
なお、ダクト３自体の構造、寸法等は図５に示した例と同一である。
【００５６】
図１２は、図８に示した柱状リブ１２の半径と整流板１４の半径の比（横軸）と、全圧損失（縦軸）の関係を示すグラフ上に、高さ２０ｍｍの三角形状と四角形状の柱状リブ１２で算出された全圧損失の値をプロットしたものである。円柱状（半円柱状）以外の形状として、四角形状や三角形状でも、比較例（リブなし）の場合に比べて全圧損失の低減効果があることが確認された。
【００５７】
４．比較例の説明（図１３〜図１８）
（１）ダクト３の後方にクーラ４（流体抵抗物）が存在しない場合（図１３及び図１４）
図１３は、以上説明した構成において、ダクト３の後方にクーラ４（流体抵抗物）が存在せず、単なる空洞の配管１５が設けられている場合の計算領域を示している。また、図１４は、ダクト３の後方にクーラ４（流体抵抗物）が存在しない図１３のような条件下において、柱状リブ１２の半径と整流板１４の半径の比（横軸）と、全圧損失（縦軸）との関係を示すグラフである。この図から分かるように、後方に流体抵抗物が無い場合には、実施形態のように流路１０中の外側コーナ部１１に柱状リブ１２を設けると、接続ブロック８等による損失も含めた全圧損失は却って増大する結果となる。
つまり、後方に流体抵抗物が無い場合には、流路１０中の外側コーナ部１１に柱状リブ１２を設ける利点は認められず、逆に有害な結果を導く。このような事実は、本願発明者等の実験（シミュレーション）によって明らかになったものである。本願発明は、係る事実を前提としたさらなる研究に基づいたものであり、ダクト３の出口側に流体抵抗物があるという条件下で、前述したような種々の形状、大きさ、配置等の条件を満たす柱状リブ１２を特定個所（流路１０の外側コーナ部１１）に設けた場合に、初めて流体の流通する全構成系における全圧損失の低減効果が得られるものである。
【００５８】
（２）特許文献１の発明との比較（図１５及び図１６）
実施形態のダクト３において得られる全圧損失と、前述した特許文献１の発明において、前方に配管２と後方にクーラ４（流体抵抗物）を介在させた場合の全圧損失との比較を行った。図１５は、特許文献１の発明を具体化したダクト３の検討モデルを示す断面図である。ダクト３の流路１０の外側コーナ部１１に流路１０の方向と交差する柱状リブ１２が形成された実施形態と異なり、図１５の特許文献１の発明によれば、ダクト３の流路１０の内側コーナ部、すなわち実施形態の柱状リブ１２の配置位置と対向する反対側の位置に、流路１０の内方に突出する先端が尖った突起２０が形成されている。突起２０の突出する長さは２０ｍｍとした。
【００５９】
図１６は、ダクト３の整流板４に設けた半円柱状の柱状リブ１２の大きさと配管２，ダクト３及びクーラ４による全圧損失との関係を示す図８に示したグラフと実質的に同一のグラフである。但し、図１６は、横軸の表示を前記８図の半径比の表示から柱状リブ１２の高さＨ［半径と表示］の直接表示に変えていると共に、柱状リブ１２の半径（横軸）と、全圧損失（縦軸）の関係を示すグラフ上に、流路１０の内側に突起２０を備えた特許文献１の発明によるダクト３の前記検討モデル（図１５）と配管２とダクト４とにより算出された全圧損失の値をプロットしたものである（図中×印）。高さ２０ｍｍの突起２０が流路１０の内側に突出した特許文献１の発明では、リブなしの場合（グラフの横軸０の位置での値）よりも全圧損失が高く、実施形態の半円柱状の柱状リブ１２で半径（高さ）２０ｍｍの実施形態（図中「本願」の点）の方が全圧損失の低減に効果があることが確認できた。
【００６０】
（３）特許文献２の発明との比較（図１７及び図１８）
実施形態のダクト３において得られる全圧損失と、前述した特許文献２の発明において、前方に配管２と後方にクーラ４（流体抵抗物）を介在させた場合の全圧損失との比較を行った。図１７は、特許文献２の発明を具体化したダクト３の検討モデルを示す断面図である。ダクト３の流路１０の外側コーナ部１１に流路１０の方向と交差する柱状リブ１２が形成された実施形態と異なり、図１７の特許文献２の発明によれば、ダクト３の流路１０の内側コーナ部、すなわち実施形態の柱状リブ１２の配置位置と対向する反対側の位置に、流路１０の内方に突出する半球状の回旋部３０が形成されている。図示はしないが、回旋部３０は、２本の配管２に対応して間隔３６０ｍｍを隔てて二つ設けられて、流路１０の方向に直交する方向に並んだ隆起部と谷部から構成されており、隆起部の突出する長さは２０ｍｍとした。
【００６１】
図１８は、ダクト３の整流板４に設けた半円柱状の柱状リブ１２の大きさと配管２，ダクト３及びクーラ４による全圧損失との関係を示す図８に示したグラフと実質的に同一のグラフである。但し、図１８は、横軸の表示を前記８図の半径比の表示から柱状リブ１２の高さＨ［半径と表示］の直接表示に変えていると共に、柱状リブ１２の半径（横軸）と、全圧損失（縦軸）の関係を示すグラフ上に、流路１０の内側に隆起部と谷部からなる回旋部３０が形成された特許文献２の発明によるダクト３の前記検討モデル（図１７）と配管２とダクト４とによりで算出された全圧損失の値をプロットしたものである（図中×印）。
高さ２０ｍｍの隆起部を有する回旋部３０が流路１０の内側に突出した特許文献２の発明では、リブなしの場合（グラフの横軸０の位置での値）よりも全圧損失はやや低くなっているが、実施形態の半円柱状の柱状リブ１２で半径２０ｍｍの実施形態の方が全圧損失の低減に効果があることが確認できた。
【００６２】
５．実施形態の効果
以上説明した実施形態によれば、次のような効果が得られる。
１）流体抵抗物であるクーラ４の入口における流体の流速分布を均一化できるため、ダクト３及びクーラ４を含むトータル圧力損失（全圧損失）を低減することができ、クーラ４の冷却性能を向上させ、エンジン５の燃費を改善することができる。
２）柱状リブ１２は鋳物で容易に製造できる。
３）ダクト３が板金製であっても、管材等を材料として容易にリブを作成し、コストを抑えられる。
４）整流のために所定位置に所定寸法の柱状リブ１２を作り付けるだけでよく、特に部品点数を増やす必要がない。
５）柱状リブ１２の補強効果でダクト３全体の剛性を増すことができる。
【００６３】
６．応用例の説明（図１９）
（１）応用例
図１９は、一般的に使用されるまがり通路としてのエルボ配管（以下エルボと称する）１６に実施形態を応用した例を示す図である。このエルボ１６は、ＪＩＳ−Ｂ２３１１−９０ＥＳに規定する１５０Ａの９０°ショートエルボである。まがり通路である当該エルボ１６の流路１０内の外側コーナ部１１に、流路１０の方向と交差して内側に盛り上がる半円柱状の柱状リブ１２が設けられている。半円柱状の柱状リブ１２の半径は、２０ｍｍである。
【００６４】
このエルボ１６の下流側に抵抗体を接続した環境下では、エルボ１６の出口では流体の流速分布が均一となり、抵抗体も含めた全圧損失が低減し、良好な流入条件で流体が抵抗体へ流入することが可能となる。また半円柱条の柱状リブ１２は、鋳物であればエルボ１６と一体鋳造で製造でき、後付であれば適当な径の管材を材料とし、これを適宜の形状に切断して溶接などによってエルボ１６の外側コーナ部１１に固定することにより、容易に製造することができる。
【００６５】
（２）実際製品への適用例（図２０）
図２０は、ディーゼルエンジン５の過給機１の出口とクーラ４を配管２及びダクト３で接続した構造において、前述した実施形態における半円筒状の柱状リブ１２をダクト３の壁体１３の外側コーナ部１１と、流路１０の内部に設けられた整流板１４の外側コーナ部１１の両方に設けた応用例を実際の形状・構造例としてさらに具体的に示す図である。分図（ａ）はダクト３を断面とした全体構成図、分図（ｂ）はダクト３の拡大断面図である。このように、整流板１４で区画されたダクト３内の２つの流路１０，１０の各外側コーナ部１１，１１にそれぞれ柱状リブ１２，１２を設けた構造は、図５のバリエーションにおけるＴｅｓｔ（５）の構造に相当する。
【００６６】
（３）その他の機器等への適用例
以上説明した実施形態では、ディーゼルエンジン５の過給機１の出口側とクーラ４を接続するまがり通路としてのダクト３において、壁体１３及び／又は整流板１４の外側コーナ部１１に、流れ方向に交差するように柱状リブ１２を設けたが、柱状リブ１２を設ける対象であるまがり通路はこれに限定されない。すなわち、本発明の整流用の柱状リブ１２は、下流にクーラ４が接続されたまがり通路に限らず、他の種類の流体抵抗物に接続されるまがり通路に設けることができる。例えば、流体抵抗物としては、クーラ４の他、熱交換器、過給機１、ファン、エアフィルタ、脱硝装置（触媒）、ミストセパレータ等が例示できる。
【符号の説明】
【００６７】
３…まがり通路としてのダクト
４…流体抵抗物としてのエアクーラ（クーラ）
１０…流路
１１…外側コーナ部
１２…柱状リブ
１３…壁体
１４…整流板
１６…まがり通路としてのエルボ管路（エルボ）
【図１】
0006431696.tif 000002
【図２】
0006431696.tif 000003
【図３】
0006431696.tif 000004
【図４】
0006431696.tif 000005
【図５】
0006431696.tif 000006
【図６】
0006431696.tif 000007
【図７】
0006431696.tif 000008
【図８】
0006431696.tif 000009
【図９】
0006431696.tif 000010
【図１０】
0006431696.tif 000011
【図１１】
0006431696.tif 000012
【図１２】
0006431696.tif 000013
【図１３】
0006431696.tif 000014
【図１４】
0006431696.tif 000015
【図１５】
0006431696.tif 000016
【図１６】
0006431696.tif 000017
【図１７】
0006431696.tif 000018
【図１８】
0006431696.tif 000019
【図１９】
0006431696.tif 000020
【図２０】
0006431696.tif 000021